(57)【特許請求の範囲】
【請求項１】
文字入力機能を有する携帯型電話機であって、
１〜９及び０からなる数字キーの数字と数字キーに割り当てられた、順序が定められた複数の文字からなる文字グループとを対応させて記憶する記憶手段と、
一つの数字キーが繰り返し押下されたとき、当該数字キーに対応する文字グループ内の文字を、前記定められた順序で読み出す読出手段と、
当該数字キーと異なる数字キーが押下されたとき、最後に読み出された文字を入力文字とする文字入力手段と、
当該数字キーに対応した文字グループの文字の入力中に、数字キーと異なる所定のキーの操作がされたとき、当該数字キーに割り当てられた前記読出手段の読出順序を、前記定められた順序と逆の順序に切り換える切換手段とを備え、
前記切換手段により切り換えられた後は、当該数字キーに対応する文字の入力中の最後の文字から、前記所定のキーの操作により、前記逆の順序に従って当該数字キーに対応する文字グループ内の文字を読み出すことを特徴とする携帯型電話機。
【請求項２】
文字入力機能を有する携帯型電話機であって、
１〜９及び０からなる数字キーの数字と数字キーに割り当てられた、順序が定められた複数の文字からなる文字グループとを対応させて記憶する記憶手段と、
一つの数字キーが繰り返し押下されたとき、当該数字キーに対応する文字グループ内の文字を、前記定められた順序で読み出す読出手段と、
当該数字キーと異なる数字キーが押下されたとき、最後に読み出された文字を入力文字とする文字入力手段と、
当該数字キーに対応した文字グループの文字の入力中に、当該数字キーが所定の時間以上の長押しがされたとき、当該数字キーに割り当てられた前記読出手段の読出順序を、前記定められた順序と逆の順序に切り換える切換手段とを備え、
前記切換手段により切り換えられた後は、当該数字キーに対応する文字の入力中の最後の文字から、当該数字キーの押下により、切り換えられた順序に従って当該数字キーに対応する文字グループ内の文字を読み出すことを特徴とする携帯型電話機。
【請求項３】
文字入力機能を有する携帯型電話機であって、
１〜９及び０からなる数字キーの数字と数字キーに割り当てられた、順序が定められた複数の文字からなる文字グループとを対応させて記憶する記憶手段と、
一つの数字キーが所定の時間を超える間隔で繰り返し押下されたとき、当該数字キーに対応する文字グループ内の文字を、前記定められた順序で読み出す読出手段と、
当該数字キーと異なる数字キーが押下されたとき、最後に読み出された文  字を入力文字とする文字入力手段と、
当該数字キーに対応した文字グループの文字の入力中に、当該数字キーが前記所定時間以内に２回押下されたとき、当該数字キーに割り当てられた前記読出手段の読出順序を、前記定められた順序と逆の順序に切り換える切換手段とを備え、
前記切換手段により切り換えられた後は、当該数字キーに対応する文字の入力中の最後の文字から、当該数字キーの押下により、切り換えられた順序に従って当該数字キーに対応する文字グループ内の文字を読み出すことを特徴とする携帯型電話機。
【請求項４】
文字入力機能を有する携帯型電話機であって、
１〜９及び０からなる数字キーの数字と数字キーに割り当てられた、順序  が定められた複数の文字からなる文字グループとを対応させて記憶する記憶手段と、
一つの数字キーが所定の時間以上長押しされている間、当該数字キーに対応する文字グループ内の文字を一定の時間間隔をおいて、前記定められた順序で読み出す読出手段と、
当該数字キーと異なる数字キーが押下されたとき、最後に読み出された文字を入力文字とする文字入力手段と、
当該数字キーに対した文字グループの文字の入力中に、数字キーと異なる所定のキーの操作がされたとき、当該数字キーに割り当てられた前記読出手段の読出順序を、前記定められた順序と逆の順序に切り換える切換手段とを備え、
前記切換手段により切り換えられた後は、当該数字キーに対応する文字の入力中の最後の文字から、前記所定のキーが所定の時間以上長押しされている間、当該数字キーに対応する文字グループ内の文字を一定の時間間隔をおいて、切り換えられた順序に従って当該数字キーに対応する文字グループ内の文字を読み出すことを特徴とする携帯型電話機。
【発明の詳細な説明】
【０００１】
【発明の属する技術分野】
本発明は、携帯型電話機に関して、さらに、その文字入力制御に関する。
【０００２】
【従来の技術】
近年、携帯型電話機は、基本となる通話機能の他に多くの有用な機能を備えるようになった。文字入力機能もその一つである。この文字入力機能は、電話番号の登録や検索をする際に、ひらがな、漢字、カタカナ、英字等を入力するための機能である。
【０００３】
一般に、従来の携帯型電話機では、操作者に文字入力機能を提供するために「キ−」毎に使用可能な文字がグループ単位で割り当てられている。操作者から「キ−」入力を受け付けた場合、携帯型電話機は、「キー」の押下毎に当該「キー」に対応するグループ内の文字を所定の順序で次々に呼び出してパネルに表示する。これにより、操作者は、目的とする文字が表示された時点で確定操作を行い、文字入力を行っている。
【０００４】
例えば、携帯型電話機において「２」の数字キーに「カキクケコ」の５文字が割り当てられている場合、携帯型電話機は、操作者から「２」の数字キーを受け付ける毎に携帯型電話機のパネルに（「カ」→「キ」→・・→「コ」→「カ」）のように一定の順序で変更させて表示する。操作者は、このパネルの表示を見ながら目的の文字を選択し、「確定キー」を押下して文字の入力を行う。
【０００５】
【発明が解決しようとする課題】
しかしながら、従来の携帯型電話機では、操作者が一度文字の確定に失敗すると、再度目的の文字が表示されるまで操作者は何回も「キー」を押すことが強いられるため、操作が煩雑になるという問題がある。また、このような場合は目的の文字が確定するまで暫く時間がかかってしまうという問題もある。
【０００６】
そこで、本発明は上記課題に鑑みてなされたものであり、一度文字の確定に失敗した場合であっても、簡単な操作によって短時間で文字を確定することことができる携帯型電話機を提供することを目的とする。
【０００７】
【発明を解決するための手段】
上記目的を達成するために、本発明に係る携帯型電話機は、文字入力機能  を有する携帯型電話機であって、１〜９及び０からなる数字キーの数字と数字キーに割り当てられた、順序が定められた複数の文字からなる文字グループとを対応させて記憶する記憶手段と、一つの数字キーが繰り返し押下されたとき、当該数字キーに対応する文字グループ内の文字を、前記定められた順序で読み出す読出手段と、当該数字キーと異なる数字キーが押下されたとき、最後に読み出された文字を入力文字とする文字入力手段と、当該数字キーに対応した文字グループの文字の入力中に、数字キーと異なる所定のキーの操作がされたとき、当該数字キーに割り当てられた前記読出手段の読出順序を、前記定められた順序と逆の順序に切り換える切換手段とを備え、前記切換手段により切り換えられた後は、当該数字キーに対応する文字の入力中の最後の文字から、前記所定のキーの操作により、前記逆の順序に従って当該数字キーに対応する文字グループ内の文字を読み出すことを特徴とする。
また、文字入力機能を有する携帯型電話機であって、１〜９及び０からなる  数字キーの数字と数字キーに割り当てられた、順序が定められた複数の文字  からなる文字グループとを対応させて記憶する記憶手段と、一つの数字キーが繰り返し押下されたとき、当該数字キーに対応する文字グループ内の文字を、前記定められた順序で読み出す読出手段と、当該数字キーと異なる数字キーが押下されたとき、最後に読み出された文字を入力文字とする文字入力手段と、当該数字キーに対応した文字グループの文字の入力中に、当該数字キーが所定の時間以上の長押しがされたとき、当該数字キーに割り当てられた前記読出手段の読出順序を、前記定められた順序と逆の順序に切り換える切換手段とを備え、前記切換手段により切り換えられた後は、当該数字キーに対応する文字の入力中の最後の文字から、当該数字キーの押下により、切り換えられた順序に従って当該数字キーに対応する文字グループ内の文字を読み出すことを特徴とする。
また、文字入力機能を有する携帯型電話機であって、１〜９及び０からな る数字キーの数字と数字キーに割り当てられた、順序が定められた複数の文  字からなる文字グループとを対応させて記憶する記憶手段と、一つの数字キ  ーが所定の時間を超える間隔で繰り返し押下されたとき、当該数字キーに対応する文字グループ内の文字を、前記定められた順序で読み出す読出手段と、当該数字キーと異なる数字キーが押下されたとき、最後に読み出された文字を入力文字とする文字入力手段と、当該数字キーに対応した文字グループの文字の入力中に、当該数字キーが前記所定時間以内に２回押下されたとき、当該数字キーに割り当てられた前記読出手段の読出順序を、前記定められた順序と逆の順序に切り換える切換手段とを備え、前記切換手段により切り換えられた後は、当該数字キーに対応する文字の入力中の最後の文字から、当該数字キーの押下により、切り換えられた順序に従って当該数字キーに対応する文字グループ内の文字を読み出すことを特徴とする。
さらに、文字入力機能を有する携帯型電話機であって、１〜９及び０からなる数字キーの数字と数字キーに割り当てられた、順序が定められた複数の文字からなる文字グループとを対応させて記憶する記憶手段と、一つの数字キーが所定の時間以上長押しされている間、当該数字キーに対応する文字グループ内の文字を一定の時間間隔をおいて、前記定められた順序で読み出す読出手段と、当該数字キーと異なる数字キーが押下されたとき、最後に読み出された文字を入力文字とする文字入力手段と、当該数字キーに対した文字グループの文字の入力中に、数字キーと異なる所定のキーの操作がされたとき、当該数字キーに割り当てられた前記読出手段の読出順序を、前記定めら  れた順序と逆の順序に切り換える切換手段とを備え、前記切換手段により切り換えられた後は、当該数字キーに対応する文字の入力中の最後の文字から、前記所定のキーが所定の時間以上長押しされている間、当該数字キーに対応する文字グループ内の文字を一定の時間間隔をおいて、切り換えられた順序に従って当該数字キーに対応する文字グループ内の文字を読み出すことを  特徴とする。
【０００８】
【発明の実施の形態】
以下では、本発明に係る携帯型電話機について、図面を参照しながら説明する。
（実施の形態１）
図１は、携帯型電話機１０の構成を示すブロック図である。携帯型電話機１０は、文字入力モードにおいて操作者が文字を選択する際に、所定キーの押下によって文字の表示順序を切り換える機能を有し、無線部１１、モデム部１２、ＴＤＭＡ処理部１３、Ｄ／Ａ・Ａ／Ｄ変換部１４、音声処理部１５、スピーカ１６、マイク１７、記憶部１８、表示部１９、入力部２０、制御部２１から構成される。
【０００９】
無線部１１は、送信時にモデム部１２から出力されるベースバンド信号を搬送波に変換してアンテナより出力し、受信時にアンテナから入力される高周波信号をベースバンド信号に変換してモデム部１２に出力する。
モデム部１２は、無線部１１とＴＤＭＡ処理部１３との間で、変調及び復調を行う。
【００１０】
ＴＤＭＡ（Ｔｉｍｅ  Ｄｉｖｉｓｉｏｎ  Ｍｕｌｔｉｐｌｅ  Ａｃｃｅｓｓ）処理部１３は、１つのベースバンド信号を５ｍｓ当たり８つのタイムスロットに分割し、上りに４スロット、下りに４スロット割り当てることにより、双方向の４チャネルを時分割多重する。なお、ＰＤＣ（Ｐｅｒｓｏｎａｌ  Ｄｉｇｉｔａｌ  Ｃｅｌｌｕｌａｒ）方式の携帯型電話機においては、１つのベースバンド信号を４０ｍｓ当たり６つのタイムスロットに分割し、上りに６スロット、下りに６スロット割り当てることにより、双方向の６チャネルを時分割多重する。
【００１１】
Ｄ／Ａ・Ａ／Ｄ変換部１４は、ＴＤＭＡ処理部１３と音声処理部１５との間で、ディジタルオーディオ信号とアナログ音声信号とを相互に変換する。
音声処理部１５は、スピーカ１６やマイク１７を介して音声信号の入出力とその増幅等を行う。
記憶部１８は、１〜９及び０の「数字キー」とこれらの「数字キー」が連続に押下された場合の回数とを対応させて割り当てられた複数の文字の文字コード１８ａを文字テーブルとして記憶する。例えば、「数字キー”１”」には、ア行のカタカナ（大文字及び小文字の各５文字）の１０文字が割り当てられており、これらの文字の文字コードが記憶されている。また、記憶部１８は、各種のフラグ群１８ｂの値を記憶する。
【００１２】
図２（ａ）及び（ｂ）は、各数字キーに割り当てられたカタカナのそれぞれの文字グループの文字テーブルの一覧と文字の読出順序についての説明図である。
図２（ａ）は、記憶部１８に記憶されている各数字キーと各数字キーが押下された場合の回数とを対応付けて割り当てられたカタカナ等の文字テーブルの一覧である。数字キー毎の各文字グループには、それぞれに複数の文字が割り当てられている。例えば、「数字キー”１”」の文字グループには、文字「ア」から文字「ォ」までの１０文字が割り当てられている。
【００１３】
図２（ｂ）は、操作者から数字キー等の押下があった場合における文字の読出順序について、「正」又は「逆」の方向を示した図である。図２（ｂ）では、「数字キー”１”」のグループに定義されている文字の読出順序を示している。図２（ｂ）に示されているように、文字「ア」→文字「イ」→・・・→文字「ォ」→文字「ア」のように遷移する（実線で示した）場合を「正」の読出順序と定義し、逆に、文字「ォ」→文字「ェ」→・・・文字「ア」→文字「ォ」のように遷移する（破線で示した）場合を「逆」の読出順序と定義する。
【００１４】
表示部１９は、液晶ディスプレイパネル等であり、制御部２１の制御によって、操作者のキー入力操作に基づいて読み出された文字の表示等を行う。なお、表示部１９は、半角文字（例えば、カタカナや英数文字など）で３６文字分の表示領域（１２文字×３行＝３６文字）を有しているものとする。
入力部２０は、数字キーや各種専用キー（例えば、アップ／ダウンキー、左移動／右移動キー）などの操作キーを有し、操作者からこれらのキー押下を受け付けて制御部２１に通知する。なお、ダウンキー（▽キー）は、文字入力モードにおいて最後に押下された「数字キー」と同一の機能を実現する。
【００１５】
ここで、「文字入力モード」とは、携帯型電話機における動作モードの１つであり、専用の操作キー（例えば「カナ／英」キー等」）を押下することにより、操作者からの文字入力を受け付け得るモードをいう。
図３は、入力部２０における操作キーの一例を示した図である。図３に示されるように、入力部２０の操作キーとしては、１〜９及び０の「数字キー」３０１と、「アップ／ダウンキー（△／▽キー）」３０２、３０３、「左移動／右移動キー」３０４、３０５、「文字入力モード切替キー（カナ／英キー）」３０６がある。
【００１６】
制御部２１は、タイマ、ＲＯＭ、ＲＡＭ等を内蔵したマイクロコンピュータにより構成され、ＲＯＭ内の各種プログラムを実行することによって、携帯型電話機１０全体の制御を行う。以下では、制御部２１が行う制御のうち、本実施形態に係る文字入力モードにおける文字入力に関する制御に絞って説明する。
制御部２１は、文字入力モードにおいて、アップ／ダウンキーの押下通知を受け付けると、表示部１９に表示されている文字の「逆」の読出順序で、又は「正」読出順序で次の文字を記憶部１８から読み出して、表示部１９に表示する。具体例を挙げて説明すると、表示部１９に「イ」が表示されている時に、「アップキー（△キー）」が押下された場合は、「逆」の読出順序で次の文字「ア」が読み出されて表示され、「ダウンキー（▽キー）」が押下された場合は、「正」の読出順序で次の文字「ウ」が読み出されて表示される。
【００１７】
図４は、「アップ／ダウンキー」を用いる本実施形態における動作の概要を示した図である。なお、以下では、「数字キー”１”」に割り当てられた文字グループ（ア行のカタカナの１０文字）を用いて説明する。
最初に、表示部１９における画面４０１において、制御部２１が入力部２０から「数字キー”１”」の押下の通知を受け付けた場合は、最初の文字「ア」を読み出して画面に表示する（画面４０２）。次に、画面４０２において、制御部２１が「▽キー」又は「数字キー”１”」の押下の通知を受け付けた場合は、「正」の読出順序で文字「ア」の次の文字「イ」を読み出して画面に表示する（画面４０３）。さらに、画面４０３において、制御部２１が「▽キー」又は「数字キー”１”」の押下の通知を受け付けた場合は、「正」の読出順序で文字「イ」の次の文字「ウ」を読み出して画面に表示する（画面４０４）。
【００１８】
一方、画面４０４において、制御部２１が「△キー」の押下の通知を受け付けた場合は、「逆」の読出順序で文字「ウ」の次の文字「イ」を読み出して画面に表示する（画面４０３）。さらに、画面４０３において、制御部２１が「△キー」の押下の通知を受け付けた場合は、「逆」の読出順序で文字「イ」の次の文字「ア」を読み出して画面に表示する（画面４０２）。
【００１９】
図５〜図８は、実施形態１における携帯型電話機１０の文字入力処理の流れを示すフローチャートである。図５は、実施形態１における＜文字入力処理＞のメインルーチンの内容を示すフローチャートである。
最初に、制御部２１は、初期化処理として、最後に押下された数字キーの数字を表す「変数ｋ」及び新規に押下された数字キーの数字を表す「変数ｌ」に「ｎｕｌｌ」を、数字キーが押下された回数を表す「変数ｉ」及び表示パネルにおける表示位置番号を表す「変数ｊ」に「１」を設定し、表示部１９の表示パネルにおける表示位置毎に設けられた文字コードを記憶するための「メモリＭ（１）〜Ｍ（３６）」を「スペースクリア」する（ステップＳ５０１）。
【００２０】
次に、表示部１９は、表示パネルにおけるｊ番目の表示位置にカーソルを点滅表示する（ステップＳ５０２）。さらに、制御部２１は、入力部２０から受け付けたキーの種類を判別し、それぞれのキー入力に応じた処理を実行する（ステップＳ５０３〜ステップＳ５０７）。
最後に、操作者から確定キーを受け付けた場合（ステップＳ５０８）、制御部２１は、本処理を終了する。
【００２１】
図６は、図５において制御部２１が「数字キー」を受け付けたと判定した場合（ステップＳ５０４）以降の＜数字キー処理＞の流れを示すフローチャートである。
最初に、制御部２１は、入力部２０から入力された数字キーの数値を「変数ｌ」に格納する（ステップＳ６０１）。
【００２２】
次に、制御部２１は、「変数ｋ」と「変数ｌ」が同一か否かを判定し（ステップＳ６０２）、同一の場合は、文字候補番号を更新する（ステップＳ６１０）。この場合、「文字番号ｉ」の値が所定の範囲外か否かを判定し（ステップＳ６１１）、範囲外の場合は文字番号の初期化処理、即ち「１」に設定する（ステップＳ６１２）。
【００２３】
一方、「変数ｋ」と「変数ｌ」が同一でないと判定した場合（ステップＳ６０２）、制御部２１は、直前のキー入力で文字を入力したか否か（即ち、「変数ｋ」が「ｎｕｌｌ」以外か否か）を判定する（ステップＳ６０３）。ここで、制御部２１は、直前のキー入力で文字が入力されたと判定した場合は、直前のキー入力で入力された文字を確定して、カーソルを１つ移動する（（ステップＳ６０４、ステップＳ６０５）。この際、カーソルがの最後の表示位置まで達している場合は（ステップＳ６０６）、「変数ｊ」にカーソルを最後の表示位置を示す「３６」に設定する（ステップＳ６０７）。なお、カーソルがの最後の表示位置まで達していない場合は（ステップＳ６０６）、「変数ｋ」及び「変数ｉ」の値を初期設定する（ステップＳ６０８）。
【００２４】
最後に、制御部２１は、点滅表示しているカーソルの位置に選択された「文字候補番号ｉ」の文字を表示する（ステップＳ６１３）。
図７は、図５において制御部２１が「アップ／ダウンキー（△／▽キー）」を受け付けたと判定した場合（ステップＳ５０５）以降の＜アップ／ダウンキー処理＞の流れを示すフローチャートである。
【００２５】
最初に、制御部２１は、上記図６と同様に、直前のキー入力で文字が入力されたか否かを判定する（ステップＳ７０１）。この際、直前のキー入力で文字が入力されていないと判定された場合、制御部２１は、再度操作者からのキー入力を待つ処理に戻る（図５のステップＳ５０２）。
一方、直前のキー入力で文字が入力されていると判定された場合、制御部２１は、入力キーが「△キー」か「▽キー」かを判別する（ステップＳ７０２）。入力キーが「△キー」の場合、制御部２１は、「文字番号ｉ」を１減らす（ステップＳ７０３）。もし、この「文字番号ｉ」の値が１未満の場合は（ステップＳ７０４）、「文字番号ｉ」に「Ｎ（ｋ）」を設定する（ステップＳ７０５）。この「Ｎ（ｋ）」は、「変数ｋ」に依存する定数であり、「ｋ＝１」（即ち、あ行）の場合は「Ｎ（ｋ）＝１０」である。なお、入力キーが「▽キー」の場合、制御部２１は、「文字番号ｉ」を１増やす（ステップＳ７０６）。もし、この「文字番号ｉ」の値がＮ（ｋ）」を越えている場合は（ステップＳ７０７）、「文字番号ｉ」に「１」を設定する（ステップＳ７０８）。
【００２６】
最後に、制御部２１は、点滅表示しているカーソルの位置に選択された文字候補を表示する（ステップＳ７０９）。
図８は、図５において制御部が「左移動／右移動キー」が入力されたと判定した場合のサブルーチン＜移動カーソル処理＞（ステップＳ５０６）の流れを示すフローチャートである。
【００２７】
最初に、制御部２１は、直前のキー入力で文字が入力されたか否かを判定する（ステップＳ８０１）。直前のキー入力で文字が入力されていないと判定された場合、制御部２１は、本サブルーチンを終了する。
一方、直前のキー入力で文字を入力されたと判定された場合に、制御部２１は直前のキー入力で入力された文字を確定し（ステップＳ８０２）、移動キーの種別に応じて点滅表示させるカーソルの位置を決定する（ステップＳ８０３〜ステップＳ８０９）。
【００２８】
以上のように、「△キー」又は「▽キー」を用いることによって、現在表示されている文字のから「逆」の読出順序、又は「正」の読出順序で次の文字を読み出して画面に表示することができる。
（実施の形態２）
図９は、実施形態２における携帯型電話機３０の構成を示すブロック図である。本機３０は、図１の携帯型電話機１０の記憶部１８及び制御部２１に替えて
、記憶部３１及び制御部３２を追加している点が異なるが、他の構成要素は同じである。以下、同じ点は説明を省略して、異なる点を中心に説明する。
【００２９】
携帯型電話機３０では、「数字キー」を「長押し」することにより、文字の読出順序を「逆」に変更し、それ以降は「数字キー」を押下すると、「逆」の読出順序で文字を読み出すことを実現する。
記憶部３１は、各種のフラグ群３１ｂやカウンタ群３１ｃの値を記憶する。本実施形態におけるフラグ群３１ｂとしては、操作者によってキー入力があったか否かを識別するための「キー入力判定フラグ」、操作者によるキー入力の長押しがあったか否かを識別するための「長押判定フラグ」、文字を読み出す順序について「正」又は「逆」を識別するための「文字読出順序フラグ」がある。また、本実施形態におけるカウンタ群３１ｃとしては、操作者によって５００ｍｓを越えるキー入力の長押しがあったか否かを判別するために用いる「長押判定カウンタ」がある。
【００３０】
制御部３２は、入力部２０から「数字キー」の押下通知を受けると、内部のタイマ計時によって押下時間の短い「短押し」であるか、押下時間の長い「長押し」であるかを判定し、この判定結果に応じて「文字読出順序フラグ」を「逆（＝１）」又は「正（＝０）」に変更し、変更した読出順序における次の文字を読み出して表示する。具体例を挙げて説明すると、「文字読出順序フラグ」が「正」に設定され、表示パネルに「イ」が表示されている時に、制御部３２は、操作者から「数字キー”１”」を０．５秒以上押下された場合は「長押し」と判定し、「文字読出順序フラグ」を「正」から「逆」に設定を変更し、かつ、「逆」の読出順序で文字「イ」の次の文字である文字「ア」を読み出して画面に表示する。一方、操作者からの「数字キー”１”」の押下が０．５秒未満の場合は「短押し」と判定し、通常の「数字キー”１”」が１回押下されたとみなされるので、「文字読出順序フラグ」の変更は行わず、「正」の読出順序で「イ」の次の文字「ウ」が読み出して画面に表示する。
【００３１】
図１０は、数字キーの「長押し」を用いる実施形態２の動作の概要を示した図である。
最初に、画面１００１において、制御部３２が入力部２０から「数字キー”１”」の押下を受け付けた場合は、ア行の最初の文字「ア」を読み出して画面に表示する（画面１００２）。次に、画面１００２において、操作者から「数字キー”１”」の「長押し」を受け付けた場合は、前記「文字読出順序フラグ」を「正」から「逆」に変更し、かつ、「逆」の読出順序で文字「ア」の次の文字「ォ」を読み出して画面に表示する（画面１００３）。さらに、画面１００３において、操作者から「▽キー」又は「数字キー”１”」の押下を受け付けた場合は、「逆」の読出順序で文字「ォ」の次の文字「ェ」を読み出して画面に表示する（画面１００４）。この場合、「文字読出順序フラグ」が「逆」に変更され、読み出される文字の順序が反対になったため、変更前の「数字キー”１”」の押下によって読み出される文字の順序とは逆の順序で文字が読み出される。
【００３２】
一方、画面１００４において、操作者から「数字キー”１”」の「長押し」を受け付けた場合、制御部３２は、「文字読出順序フラグ」を「逆」から「正」に変更し、かつ、「正」の読出順序で文字「ェ」の次の文字「ォ」を読み出して画面に表示する（画面１００３）。さらに、画面１００３において、操作者から「▽キー」又は「数字キー”１”」の押下を受け付けた場合は、「正」の読出順序で文字「ォ」の次の文字「ア」を読み出して画面に表示する（画面１００２）。この場合、「文字読出順序フラグ」が「正」に変更されたので、元の順序で文字を読み出す。
【００３３】
図１１〜図１３は、実施形態２における携帯型電話機３０の＜文字入力処理＞の流れを示すフローチャートである。
図１１は、実施形態２における＜文字入力処理＞のメインルーチンを示すフローチャートである。図１１は、上記図５のメインルーチンの流れと基本的には同じであるが、長押判定フラグの取込み処理（ステップＳ１１０４）が追加されている点と、キー押下されたキー種別の判定にアップ／ダウンキーの判定処理（ステップＳ５０５）が含まれていない点が異なっている。
【００３４】
なお、初期化処理（ステップ１１０１）において、新たに「キー入力判定フラグ」（ＫＰ）、「長押判定フラグ」（ＬＰ）、「文字読出順序フラグ」（ＤＦ）及び「長押判定カウンタ」（ＮＬＰ）の初期化を行っている。
図１２は、図１１において制御部３２が「数字キー」が入力されたと判定した場合（ステップＳ１１０５）以降の＜数字キー処理＞の流れを示すフローチャートである。図１２は、上記図６と比べ、「長押し」されているか否かを「長押判定フラグ（ＬＰ）」によって判別し、「文字読出順序フラグ（ＤＦ）」の値を反転させる処理（ステップＳ１２０２、ステップ１２０３）が追加されている。さらに、図１２は、上記図６と比べ、文字の読出順序が反転するため、文字番号の初期化処理の他に、文字番号を補正するための処理（ステップＳ１２１５、ステップＳ１２１６）が追加されている。
【００３５】
図１３は、実施形態２において、＜２０ｍｓ毎に実行される長押判定処理＞の流れを示すフローチャートである。この「長押判定処理」では、同一のキーが「０．５秒」以上押下された場合に「長押し」と判定し、「長押判定フラグ（ＬＰ）」に「１」を設定する。
最初に、制御部３２は、入力部２０の入力によってキーが押下されているか否かを判定し（ステップＳ１３０１）、キーが押下されている場合は「キー入力判定フラグ（ＫＰ）」のＯＮ／ＯＦＦを判別する（ステップＳ１３０２）。「キー入力判定フラグ」が「ＯＮ」の場合、制御部３２は、「長押判定フラグ」が「ＯＦＦ」の時にのみ「長押判定カウンタ」の値を１減らし（ステップＳ１３０５）、「長押判定カウンタ」の値が「０」になった場合（ステップＳ１３０６）、「長押判定フラグ」を「ＯＮ（＝１）」に設定する（ステップＳ１３０７）。
【００３６】
一方、キーが押下されているが「キー入力判定フラグ」が「ＯＦＦ」の場合、制御部３２は、「キー入力判定フラグ」を「ＯＮ」に設定する。なお、キーが押下されていないと判定された場合、制御部３２は、「キー入力判定フラグ」、「長押判定カウンタ」及び「長押判定フラグ」の初期化を行う（ステップＳ１３０８〜ステップＳ１３１２）。
【００３７】
以上のように、「数字キー」を「長押し」することによって、文字の読み出す順序を逆向きに変更することができるので、文字の選択に失敗した場合であっても短時間で目的の文字を選択し直すことができる。
（実施の形態３）
図１４は、実施形態３における携帯型電話機５０の構成を示すブロック図である。本機５０は、図１の携帯型電話機１０の記憶部１８及び制御部２１に替えて、記憶部５１及び制御部５２を追加している点が異なるが、他の構成要素は同じである。また、本機５０は、上記実施形態２の携帯型電話機３０と同等の機能を有しているため、同じ点は説明を省略して、異なる点を中心に説明する。
【００３８】
携帯型電話機５０では、「数字キー」を「ダブルクリック」することにより、文字の読出順序を逆向きに変更し、それ以降は「数字キー」を押下する毎に逆の順序で文字を読み出すことを実現する。
記憶部５１は、各種のフラグ群５１ｂやカウンタ群５１ｃの値を記憶する。本実施形態におけるフラグやカウンタとしては、「数字キー」の「ダブルクリック」があったか否かを識別するための「ダブルクリック判定フラグ」と、５００ｍｓ以内に操作者によって「数字キー」の「ダブルクリック」のキー入力があったか否かを判別するために用いる「ダブルクリック判定カウンタ」がある。
【００３９】
制御部５２は、内部のタイマ計時によって計時された所定の時間内に、入力部２０から２回の数字キーの押下通知を受け付けた場合に、「ダブルクリック」の入力と判定し、この判定結果に応じて「文字読出順序フラグ」を「正」から「逆」（又は「逆」から「正」）に設定を変更する。「ダブルクリック」の入力と判定された場合の動作は、上記の「長押し」と判定された場合の動作と同一である。
【００４０】
図１５は、「数字キー」の「ダブルクリック」を用いる実施形態３の動作の概要を示した図である。図１５に示されるように、数字キーが「ダブルクリック」受け付けられた場合の動作（画面１５０１〜画面１５０４、操作▲１▼〜操作▲５▼）は、上記図１０の数字キーの「長押し」の場合と全く同じであるため、説明は省略する。
【００４１】
図１６〜図１８は、第３実施例における携帯型電話機１０の＜文字入力処理＞の流れを示すフローチャートである。図１６は、実施形態３における＜文字入力処理＞のメインルーチンの流れを示すフローチャートである。図１６は、上記図１１のメインルーチンと比較すると、「長押判定フラグ」の取込み処理（ステップＳ１１０４）に替えて、「ダブルクリック判定フラグ」の取込み処理（ステップＳ１４０４）を行う点のみが異なっている。
【００４２】
なお、初期化処理（ステップ１６０１）において、新たに「キー入力判定フラグ」（ＫＰ）、「ダブルクリック判定フラグ」（ＤＣ）及び「ダブルクリック判定カウンタ」（ＮＤＣ）の初期化を行っている。
図１７は、図１６において制御部５２が、「数字キー」が入力されたと判定した場合（ステップＳ１６０５）以降の＜数字キー処理＞の流れを示すフローチャートである。図１７は、上記図１２における「長押しされたか否か」の判定（ステップＳ１２０２）に替えて、「ダブルクリックされたか否か」の判定（ステップＳ１７０２）を行っている点が異なる。これ以外の処理は、上記図１２の処理内容と同じである。
【００４３】
図１８は、第３実施例において、＜２０ｍｓ毎のダブルクリック判定処理＞の流れを示すフローチャートである。この処理では、同一のキーが「０．５秒」以内に２回押下された場合に「ダブルクリック」と判定し、「ダブルクリック判定フラグ」に「１」を設定する。この場合の「ダブルクリック」の判定は、厳密に言えば、１回目のキー入力終了後から２回目のキー入力が確認されるまでの時間が、「０．５秒」以内か否かで判定している。
【００４４】
最初に、制御部５２は、入力部２０の入力によってキーが押下されているか否かを判定し（ステップＳ１８０１）、キーが押下されている場合は「キー入力判定フラグ」のＯＮ／ＯＦＦを判別する（ステップＳ１８０２）。「キー入力判定フラグ」が「ＯＦＦ」の場合、制御部５２は、「キー入力判定フラグ」を「ＯＮ（＝１）」に設定する（ステップＳ１８０３）。
【００４５】
さらに、制御部５２は、「ダブルクリック判定カウンタ（ＮＤＣ）」が「０」より大きいか否かを判定し、「０」より大きい場合は、「ダブルクリック判定フラグ（ＤＣ）」を「ＯＮ（＝１）」に設定し、「ダブルクリック判定カウンタ」を「０」クリアする（ステップＳ１８０６）。一方、「ダブルクリック判定カウンタ」が「０」より大きくない場合、制御部５２は、「ダブルクリック判定カウンタ」を初期化する（ステップＳ１８０７）。
【００４６】
なお、キーが押下されていない場合（ステップＳ１８０１）以降の処理内容は、上記図１３の＜２０ｍｓ毎の長押判定処理＞と同じである。
以上のように、「数字キー」を「ダブルクリック」することによって、文字の読み出す順序を逆向きに変更することができるので、文字の選択に失敗した場合であっても短時間で目的の文字を選択し直すことができる。
（実施の形態４）
図１９は、実施形態４における携帯型電話機７０の構成を示すブロック図である。本機７０は、図１の携帯型電話機１０の記憶部１８及び制御部２１に替えて、記憶部７１及び制御部７２を追加している点が異なるが、他の構成要素は同じである。以下、同じ点は説明を省略して、異なる点を中心に説明する。
【００４７】
携帯型電話機７０では、「数字キー」又は「アップ／ダウンキー」を「連続長押し」することにより、文字の読出順序を「正」、又は「逆」の順序で連続的に文字を読み出して画面に表示することを実現する。
記憶部７１は、各種のフラグ群７１ｂやカウンタ群７１ｃの値を記憶する。本実施形態におけるフラグやカウンタとしては、操作者によるキー入力の連続長押しがあったか否かを識別するための「連続長押判定フラグ」、３００ｍｓを越える操作者によるキー入力の連続長押しがあったか否かを判別するために用いる「連続長押判定カウンタ」、操作者からキー入力の連続長押しがあった場合に次々に読み出される文字の文字数を示す「文字変更カウンタ」の値を記憶する。
【００４８】
制御部７２は、入力部２０から「数字キー」又は「アップ／ダウンキー」の連続したキー押下を受け付けると、内部のタイマ計時によって連続押下時間を計時し、所定の時間が経過する毎に、これらの「数字キー」又は「アップ／ダウンキー」が１回押下されたとみなし、連続して次の候補の文字又は前の候補の文字を読み出して表示する。具体例を挙げて説明すると、「文字読出順序フラグ」が「正」に設定され、表示部１９に「イ」が表示されている時に、操作者から「数字キー”１”」を１秒押下された場合は、「数字キー”１”」が３回押下されたとみなし、「正」の読出順序で文字「イ」から文字「ウ」、文字「エ」、文字「オ」の文字コードを記憶部１８ａから次々に読み出して表示部１９に表示する。一方、操作者からの「アップキー（△キー）」が１秒押下された場合は、「文字読出順序フラグ」を「逆」に設定し、この状態で「数字キー”１”」が３回押下されたと判定し、「逆」の読出順序で文字「イ」から文字「ア」、文字「ォ」、文字「ェ」の文字コード１８ａを記憶部１８から次々に読み出して表示部１９に表示する。
【００４９】
図２０は、「数字キー（又は▽キー）」、若しくは「△キー」の「連続長押し」を用いる実施形態４の動作の概要を示した図である。
最初に、画面２００１において、制御部７２が入力部２０から「数字キー”１”」の押下を受け付けた場合は、ア行の最初の文字「ア」を読み出して画面に表示する（画面２００２）。次に、画面２００２において、制御部７２が「▽キー」又は「数字キー”１”」の「長押し」を受け付けた場合は、０．３秒経過時に「正」の読出順序で次の文字「イ」を読み出し画面に表示する（画面２００３）。さらに、制御部７２が「▽キー」又は「数字キー”１”」の「長押し」が継続していることを受け付けた場合は、さらに０．３秒経過時に「正」の読出順序で文字を読み出して画面に表示する。このように、制御部７２は、「▽キー」又は「数字キー”１”」の「長押し」が継続されている場合は、０．３秒毎に「正」の読出順序で文字を次々に読み出して画面に表示する（画面２００２→画面２００３→画面２００４→画面２００２）。
【００５０】
一方、画面２００２において、操作者から「△キー」の「長押し」を受け付けた場合は、０．３秒経過時に「文字読出順序フラグ」を「正」から「逆」に変更し、かつ、「逆」の読出順序で文字「ア」の次の文字「ォ」を読み出し画面に表示する（画面２００４）。さらに、「△キー」の「長押し」が継続している場合は、さらに０．３秒経過時に「逆」の読出順序で次の文字を読み出し画面に表示する。このように、「△キー」の「長押し」が継続された場合は、０．３秒毎に「逆」の読出順序で文字を次々に読み出して画面に表示する（画面２００２→画面２００４→画面２００３→画面２００２）。
【００５１】
次に、実施形態４の動作について、図２１〜図２４のフローチャートを用いて説明する。
図２１〜図２４は、実施形態４における携帯型電話機１０の＜文字入力処理＞の流れを示すフローチャートである。図２１は、第４実施例における＜文字入力処理＞のメインルーチンの流れを示すフローチャートである。図２１は、上記図５に示した実施形態１のメインルーチンと基本的には同じであるが、図２１の初期化処理（ステップＳ２１０１）において、新たに「文字変更カウンタ」（ＣＣＣ）及び「長押継続判定カウンタ」（ＮＬＰＣ）の初期化を行っている。
【００５２】
図２２は、図２１において制御部７２が「数字キー」が入力されたと判定された場合（ステップＳ１８０４）以降の＜数字キー処理＞の流れを示すフローチャートである。基本的な処理は、上記図６と同じであるが、図２２では、「長押継続中か否か」の判定処理（ステップＳ２２１４）及び長押継続中の場合は、「文字変更カウンタ」の値を１減らす処理（ステップＳ２２１５）が追加されている。
【００５３】
図２３は、図２１において制御部７２が「アップ／ダウンキー（△／▽キー）」が入力されたと判定した場合（ステップＳ１８０５）以降の＜アップ／ダウンキー処理＞の流れを示すフローチャートである。基本的な処理は、上記図７と同じであるが、図２３では、連続で長押しされているか否かを判別する長押継続判定処理（ステップＳ２３１０）及び長押継続中の場合は、「文字変更カウンタ」の値を１減らす処理（ステップＳ２３１１）が追加されている。
【００５４】
図２４は、実施形態４において、＜２０ｍｓ毎の長押継続判定処理＞の流れを示すフローチャートである。この処理では、同一のキーが「０．３秒」以上連続に押下された場合に「長押継続」と判定し、「文字変更カウンタ」の値を１づつ増加させる。
最初に、制御部７２は、入力部２０の入力によってキーが押下されているか否かを判定し（ステップＳ２４０１）、キーが押下されている場合は「キー入力判定フラグ」のＯＮ／ＯＦＦを判別する（ステップＳ２４０２）。「キー入力判定フラグ」が「ＯＮ」の場合、制御部７２は、「長押継続判定カウンタ（ＮＬＰＣ）」の値を１減らす（ステップＳ２４０４）。
【００５５】
さらに、制御部７２は、「長押継続判定カウンタ」が「０」か否かを判定し、「０」の場合は、「文字変更カウンタ（ＣＣＣ）」を１増やし（ステップＳ２４０６）、「長押継続判定カウンタ」を初期化する（ステップＳ２４０７）。
なお、キーが押下されていない場合（ステップＳ２４０１）は、「キー入力判定フラグ」及び「長押継続判定カウンタ」の初期化処理を行う（ステップＳ２４０９、ステップＳ２４１０）。
【００５６】
以上のように、「数字キー」又は「アップ／ダウンキー」を「連続長押し」することによって、「正」の順序、又は「逆」の順序で連続的に文字を読み出して画面に表示することができるので、何回もキーを押下することなく容易に目的の文字を選択することができる。
なお、以上の実施形態では、文字入力機能を有する携帯型電話機として、主にＰＨＳを取り上げて説明してきたが、ＰＨＳに限定するものではなく、いわゆるＰＤＣ（Ｐｅｒｓｏｎａｌ  Ｄｉｇｉｔａｌ  Ｃｅｌｌｕｌａｒ）方式の携帯型電話機や、その他の文字入力機能を有する電話機であってもよい。
【００５７】
【発明の効果】
以上の説明から明らかなように、本発明に係る携帯型電話機は、文字入力機能を有する携帯型電話機であって、１〜９及び０からなる数字キーの数字と数字キーに割り当てられた、順序が定められた複数の文字からなる文字グループとを対応させて記憶する記憶手段と、一つの数字キーが繰り返し押下されたとき、当該数字キーに対応する文字グループ内の文字を、前記定められた順序で読み出す読出手段と、当該数字キーと異なる数字キーが押下されたとき、最後に読み出された文字を入力文字とする文字入力手段と、当該数字キーに対応した文字グループの文字の入力中に、数字キーと異なる所定のキーの操作がされたとき、当該数字キーに割り当てられた前記読出手段の読出順序を、前記定められた順序と逆の順序に切り換える切換手段とを備え、前記切換手段により切り換えられた後は、当該数字キーに対応する文字の入力中の最後の文字から、前記所定のキーの操作により、前記逆の順序に従って当該数字キーに対応する文字グループ内の文字を読み出すことを特徴とする。これにより、通常の読み出し順序とは逆の順序で文字を読み出すことができるので、短時間で目的の文字を特定し、効率的な文字入力を行うことができる。
【００５８】
また、本発明に係る携帯電話機は、文字入力機能を有する携帯型電話機であ  って、１〜９及び０からなる数字キーの数字と数字キーに割り当てられた、順序が定められた複数の文字からなる文字グループとを対応させて記憶する記憶手段と、一つの数字キーが繰り返し押下されたとき、当該数字キーに対応する文字グループ内の文字を、前記定められた順序で読み出す読出手段と、当該数字キーと異なる数字キーが押下されたとき、最後に読み出された文字を入力文字とする文字入力手段と、当該数字キーに対応した文字グループの文字の入力中に、当該数字キーが所定の時間以上の長押しがされたとき、当該数字キーに割り当てられた前記読出手段の読出順序を、前記定められた順序と逆の順序に切り換える切換手段とを備え、前記切換手段により切り換えられた後は、当該数字キーに対応する文字の入力中の最後の文字から、当該数字キーの押下により、切り換えられた順序に従って当該数字キーに対応する文字グループ内の文字を読み出すことを特徴とする。これにより、数字キーの長押しによって文字の読み出し順序を変更して文字を読み出すことができるので、短時間で目的の文字を特定し、効率的な文字入力を行うことができる。
【００５９】
また、本発明に係る携帯型電話機は、文字入力機能を有する携帯型電話機であって、１〜９及び０からなる数字キーの数字と数字キーに割り当てられた、順序が定められた複数の文字からなる文字グループとを対応させて記憶する記憶手段と、一つの数字キーが所定の時間を超える間隔で繰り返し押下されたとき、当該数字キーに対応する文字グループ内の文字を、前記定められた順序で読み出す読出手段と、当該数字キーと異なる数字キーが押下されたとき、最後に読み出された文字を入力文字とする文字入力手段と、当該数字キーに対応した文字グループの文字の入力中に、当該数字キーが前記所定時間以内に２回押下されたとき、当該数字キーに割り当てられた前記読出手段の読出順序を、前記定められた順序と逆の順序に切り換える切換手段とを備え、前記切換手段により切り換えられた後は、当該数字キーに対応する文字の入力中の最後の文字から、当該数字キーの押下により、切り換えられた順序に従って当該数字キーに対応する文字グループ内の文字を読み出すことを特徴とする。これにより、数字キーのダブルクリックによって文字の読み出し順序を変更して文字を読み出すことができるので、短時間で目的の文字を特定し、効率的な文字入力を行うことができる。
【００６１】
さらに、本発明に係る携帯型電話機は、文字入力機能を有する携帯型電話機であって、１〜９及び０からなる数字キーの数字と数字キーに割り当てられた、順序が定められた複数の文字からなる文字グループとを対応させて記憶する記憶手段と、一つの数字キーが所定の時間以上長押しされている間、当該数字キーに対応する文字グループ内の文字を一定の時間間隔をおいて、前記定められた順序で読み出す読出手段と、当該数字キーと異なる数字キーが押下されたとき、最後に読み出された文字を入力文字とする文字入力手段と、当該数字キーに対した文字グループの文字の入力中に、数字キーと異なる所定のキーの操作がされたとき、当該数字キーに割り当てられた前記読出手段の読出順序を、前記定められた順序と逆の順序に切り換える切換手段とを備え、前記切換手段により切り換えられた後は、当該数字キーに対応する文字の入力中の最後の文字から、前記所定のキーが所定の時間以上長押しされている間、当該数字キーに対応する文字グループ内の文字を一定の時間間隔をおいて、切り換えられた順序に従って当該数字キーに対応する文字グループ内の文字を読み出すことを特徴とする。これにより、何回もキーを押下することなく容易に目的の文字を選択することができる。
【図面の簡単な説明】
【図１】携帯型電話機１０の構成を示すブロック図である。
【図２】（ａ）は、各数字キーと各数字キーが押下された回数との対応付けで割り当てられた文字の一覧表である。（ｂ）は、文字読出順序についての説明図である。
【図３】入力部２０における操作キーの一例を示した図である。
【図４】「アップ／ダウンキー」を用いる本実施形態における動作の概要を示した図である。
【図５】実施形態１における＜文字入力処理＞のメインルーチンのフローチャートである。
【図６】図５における＜数字キー処理＞のフローチャートである。
【図７】図５における＜アップ／ダウンキー処理＞のフローチャートである。
【図８】図５における＜左移動／右移動キー処理＞のフローチャートである。
【図９】携帯型電話機３０の構成を示すブロック図である。
【図１０】「数字キー」の「長押し」を用いる実施形態２における動作の概要を示した図である。
【図１１】実施形態２における＜文字入力処理＞のメインルーチンの流れを示すフローチャートである。
【図１２】図１１における＜数字キー処理＞のフローチャートである。
【図１３】実施形態２における＜２０ｍｓ毎の長押判定処理＞のフローチャートである。
【図１４】携帯型電話機５０の構成を示すブロック図である。
【図１５】「数字キー」の「ダブルクリック」を用いる実施形態３における動作の概要を示した図である。
【図１６】実施形態３における＜文字入力処理＞のメインルーチンのフローチャートである。
【図１７】実施形態３における＜数字キー処理＞のフローチャートである。
【図１８】実施形態３における＜２０ｍｓ毎のダブルクリック判定処理＞のフローチャートである。
【図１９】携帯型電話機７０の構成を示すブロック図である。
【図２０】「数字キー」の「連続長押し」を用いる実施形態４における動作の概要を示した図である。
【図２１】実施形態４における＜文字入力処理＞のメインルーチンのフローチャートである。
【図２２】図２１における＜数字キー処理＞のフローチャートである。
【図２３】図２１における＜アップ／ダウンキー処理＞フローチャートである。
【図２４】実施形態４における＜２０ｍｓ毎の長押継続判定処理＞のフローチャートである。
【符号の説明】
１０、３０      携帯型電話機
５０、７０      携帯型電話機
１１            無線部
１２            モデム部
１３            ＴＤＭＡ処理部
１４            Ｄ／Ａ・Ａ／Ｄ変換部
１５            音声処理部
１６            スピーカ
１７            マイク
１８            記憶部
１８ａ          文字コード
１８ｂ、３１ｂ  フラグ群
５１ｂ、７１ｂ  フラグ群
１９            表示部
２０            入力部
２１、３２      制御部
５２、７２      制御部
３１ｃ          カウンタ群
５１ｃ、７１ｃ  カウンタ群
【図１】
0003561637.tif 000002
【図２】
0003561637.tif 000003
【図３】
0003561637.tif 000004
【図４】
0003561637.tif 000005
【図５】
0003561637.tif 000006
【図６】
0003561637.tif 000007
【図７】
0003561637.tif 000008
【図８】
0003561637.tif 000009
【図９】
0003561637.tif 000010
【図１０】
0003561637.tif 000011
【図１１】
0003561637.tif 000012
【図１２】
0003561637.tif 000013
【図１３】
0003561637.tif 000014
【図１４】
0003561637.tif 000015
【図１５】
0003561637.tif 000016
【図１６】
0003561637.tif 000017
【図１７】
0003561637.tif 000018
【図１８】
0003561637.tif 000019
【図１９】
0003561637.tif 000020
【図２０】
0003561637.tif 000021
【図２１】
0003561637.tif 000022
【図２２】
0003561637.tif 000023
【図２３】
0003561637.tif 000024
【図２４】
0003561637.tif 000025